(57)【特許請求の範囲】
【請求項１】
負荷が接続される出力端子の両端に接続された平滑コンデンサ、第１の整流素子の入力端子に出力端子が接続された第２の整流素子と、この第２の整流素子の入力端子に出力端子が接続された第３の整流素子と、を有し、上記第１の整流素子の出力端子が上記平滑コンデンサの一端に接続され、上記第３の整流素子の入力端子が上記平滑コンデンサの他端に接続され、３相電源の第１の相の出力端子が上記第１の整流素子の入力端子に接続された第１の整流素子列、第４の整流素子の入力端子に出力端子が接続された第５の整流素子と、この第５の整流素子の入力端子に出力端子が接続された第６の整流素子と、を有し、上記第４の整流素子の出力端子が上記平滑コンデンサの一端に接続され、上記第６の整流素子の入力端子が上記平滑コンデンサの他端に接続され、３相電源の第２の相の出力端子が上記第４の整流素子の入力端子に接続された第２の整流素子列、第７の整流素子の入力端子に出力端子が接続された第８の整流素子と、この第８の整流素子の入力端子に出力端子が接続された第９の整流素子と、を有し、上記第７の整流素子の出力端子が上記平滑コンデンサの一端に接続され、上記第９の整流素子の入力端子が上記平滑コンデンサの他端に接続され、３相電源の第３の相の出力端子が上記第７の整流素子の入力端子に接続された第３の整流素子列、上記第１の整流素子の入力端子と上記第４の整流素子の入力端子との間に接続された第１の補助コンデンサ、上記第４の整流素子の入力端子と上記第７の整流素子の入力端子との間に接続された第２の補助コンデンサ、上記第１の整流素子の入力端子と上記第７の整流素子の入力端子との間に接続された第３の補助コンデンサ、上記第２の整流素子の入力端子と上記第４の整流素子の入力端子との間に接続された第４の補助コンデンサ、上記第５の整流素子の入力端子と上記第７の整流素子の入力端子との間に接続された第５の補助コンデンサ、上記第８の整流素子の入力端子と上記第１の整流素子の入力端子との間に接続された第６の補助コンデンサ、を備えるとともに、
３相電源の第１の相の出力端子と第１の整流素子の入力端子との間に接続された第１のリアクトルと、３相電源の第２の相の出力端子と第４の整流素子の入力端子との間に接続された第２のリアクトルと、３相電源の第３の相の出力端子と第７の整流素子の入力端子との間に接続された第３のリアクトルと、を備えた整流回路。
【請求項２】
第４の補助コンデンサは、第４の整流素子に逆電圧がかかっている場合に、第２の相の入力電流を第１の整流素子の入力端子と第２の整流素子とを接続する接続線の方向へ流し、第５の補助コンデンサは、第７の整流素子に逆電圧がかかっている場合に、第３の相の入力電流を上記第４の整流素子と第５の整流素子とを接続する接続線の方向へ流し、第６の補助コンデンサは、上記第１の整流素子に逆電圧がかかっている場合に、第１の相の入力電流を上記第７の整流素子と第８の整流素子とを接続する接続線の方向へ流すことを特徴とする請求項１に記載の整流回路。
【発明の詳細な説明】
【０００１】
【発明の属する技術分野】
この発明は、電源高調波の少ない整流回路に関する。
【０００２】
【従来の技術】
図６は従来の整流回路を示す回路図である。図６において、ＲＮ１は単相交流電源、Ｌ１は単相交流電源ＲＮ１に接続されたリアクトル、Ｄ３１〜Ｄ３４は交流を直流に整流するダイオード、Ｃ１はダイオードが整流した直流電圧を平滑化する平滑コンデンサ、Ｒ１はこの平滑コンデンサと並列に接続された負荷抵抗である。
図７はこの整流回路の動作を説明する波形図であり、１１は単相交流電源ＲＮ１の出力電圧、１２は入力電流に相当するリアクトルＬ１の電流であり、ピークが１８Ａ程度で位相が電圧１１より遅れており、かなり歪んだ波形となっている。１３はこの整流回路が整流した電圧であり、平滑コンデンサＣ１の両端の電圧である。
【０００３】
この整流回路では、単相交流電源ＲＮ１から入力された電圧１１を、ダイオードＤ３１〜Ｄ３４の働きにより整流する。整流した電圧は、波があるため平滑コンデンサの平滑作用により、ある程度一定の電圧を保つように平滑化され、この電圧が出力となる。
【０００４】
【発明が解決しようとする課題】
上記のような従来の技術の整流回路では、単相交流電源ＲＮ１の出力電圧１１の立ち上がり、例えば図７の０〜４ｍｓｅｃ、では、平滑コンデンサＣ１の電圧１３が単相交流電源ＲＮ１の出力電圧１１を上回っているため、ダイオードＤ３１若しくはＤ３３の整流作用により電流１２が流れない状態となる。すなわち、単相交流電源ＲＮ１の出力電圧１１の電圧が上昇しているのに、電流１２が上昇しない状態となり、電流１２が歪む。そして、図７の４ｍｓｅｃを越える点から次第に単相交流電源ＲＮ１の出力電圧１１が平滑コンデンサＣ１の電圧１３を上回り、徐々に電流１２が流れ始める。
このように従来の整流回路では、入力電流に大きなひずみがあり、高調波を多く含んでしまうという問題があった。
この発明は、かかる問題点を解決するためになされたもので、入力電流の高調波の少ない整流回路を得ることを目的としている。
【０００５】
【課題を解決するための手段】
この発明にかかる整流回路においては、負荷が接続される出力端子の両端に接続された平滑コンデンサ、第１の整流素子の入力端子に出力端子が接続された第２の整流素子と、この第２の整流素子の入力端子に出力端子が接続された第３の整流素子と、を有し、上記第１の整流素子の出力端子が上記平滑コンデンサの一端に接続され、上記第３の整流素子の入力端子が上記平滑コンデンサの他端に接続され、３相電源の第１の相の出力端子が上記第１の整流素子の入力端子に接続された第１の整流素子列、第４の整流素子の入力端子に出力端子が接続された第５の整流素子と、この第５の整流素子の入力端子に出力端子が接続された第６の整流素子と、を有し、上記第４の整流素子の出力端子が上記平滑コンデンサの一端に接続され、上記第６の整流素子の入力端子が上記平滑コンデンサの他端に接続され、３相電源の第２の相の出力端子が上記第４の整流素子の入力端子に接続された第２の整流素子列、第７の整流素子の入力端子に出力端子が接続された第８の整流素子と、この第８の整流素子の入力端子に出力端子が接続された第９の整流素子と、を有し、上記第７の整流素子の出力端子が上記平滑コンデンサの一端に接続され、上記第９の整流素子の入力端子が上記平滑コンデンサの他端に接続され、３相電源の第３の相の出力端子が上記第７の整流素子の入力端子に接続された第３の整流素子列、上記第１の整流素子の入力端子と上記第４の整流素子の入力端子との間に接続された第１の補助コンデンサ、上記第４の整流素子の入力端子と上記第７の整流素子の入力端子との間に接続された第２の補助コンデンサ、上記第１の整流素子の入力端子と上記第７の整流素子の入力端子との間に接続された第３の補助コンデンサ、上記第２の整流素子の入力端子と上記第４の整流素子の入力端子との間に接続された第４の補助コンデンサ、上記第５の整流素子の入力端子と上記第７の整流素子の入力端子との間に接続された第５の補助コンデンサ、上記第８の整流素子の入力端子と上記第１の整流素子の入力端子との間に接続された第６の補助コンデンサ、を備えるとともに、
３相電源の第１の相の出力端子と第１の整流素子の入力端子との間に接続された第１のリアクトルと、３相電源の第２の相の出力端子と第４の整流素子の入力端子との間に接続された第２のリアクトルと、３相電源の第３の相の出力端子と第７の整流素子の入力端子との間に接続された第３のリアクトルと、を備えたものである。
【０００７】
また、第４の補助コンデンサは、第４の整流素子に逆電圧がかかっている場合に、第２の相の入力電流を第１の整流素子の入力端子と第２の整流素子とを接続する接続線の方向へ流し、第５の補助コンデンサは、第７の整流素子に逆電圧がかかっている場合に、第３の相の入力電流を上記第４の整流素子と第５の整流素子とを接続する接続線の方向へ流し、第６の補助コンデンサは、上記第１の整流素子に逆電圧がかかっている場合に、第１の相の入力電流を上記第７の整流素子と第８の整流素子とを接続する接続線の方向へ流すものである。
【０００８】
【発明の実施の形態】
実施の形態１．
図１はこの実施の形態１の三相交流を整流するための整流回路の回路図である。
図１において、ＲＮ１はＵ相の交流電圧を出力する電源、ＳＮ１はＶ相の交流電圧を出力する電源、ＴＮ１はＷ相の交流電圧を出力する電源である。
Ｌ１は一端が電源ＲＮ１に接続されたリアクトル、Ｌ２は一端が電源ＳＮ１に接続されたリアクトル、Ｌ３は一端が電源ＴＮ１に接続されたリアクトルである。ここで、各相の入力電流は、Ｌ１〜Ｌ３のそれぞれに入力される電流であり、順に第１〜３相の入力電流となる。
Ｒ１は、出力端子Ｏ１、Ｏ２間に接続され、整流した電圧の供給先たる負荷抵抗である。ここで、負荷の例として負荷抵抗Ｒ１を上げたが、この整流回路には、電力を消費するあらゆる負荷が接続される。
Ｉｎ１、Ｉｎ２、Ｉｎ３は、それぞれ第１の入力端子、第２の入力端子、第３の入力端子である。ただし、図１のようにリアクトルＬ１〜３が挿入されている場合は、リアクトルＬ１〜３の電源側に入力端子が設けられることが多い。
【０００９】
次に、主にＵ相に関連する回路を説明する。
Ｄ１は一端がリアクトルＬ１に接続され、他端が負荷Ｒ１に接続され、リアクトルＬ１から負荷Ｒ１へ電流が流れるように整流するダイオードである。
Ｄ２は一端がリアクトルＬ１に接続され、他端から入力された電流がリアクトルＬ１へ流れるように整流するダイオードである。
Ｄ３は、一端がこのダイオードＤ２の他端に接続され、他端が負荷Ｒ１に接続され、負荷Ｒ１からダイオードＤ２へ電流が流れるように整流するダイオードである。
Ｃ４は、ダイオードＤ８の他端とダイオードＤ９の一端とを接続する接続線に一端が接続されるとともに、Ｕ相のリアクトルＬ１に他端が接続された補助コンデンサである。
Ｃ５は、一端がＵ相のリアクトルＬ１に接続され、他端がＶ相のリアクトルＬ２に接続された補助コンデンサである。
【００１０】
続いて、主にＶ相に関連する回路を説明する。
Ｄ４は一端がリアクトルＬ２に接続され、他端が負荷Ｒ１に接続され、リアクトルＬ２から負荷Ｒ１へ電流が流れるように整流するダイオードである。
Ｄ５は一端がリアクトルＬ２に接続され、他端から入力された電流がリアクトルＬ２へ流れるように整流するダイオードである。
Ｄ６は、一端がこのダイオードＤ５の他端に接続され、他端が負荷Ｒ１に接続され、負荷Ｒ１からダイオードＤ５へ電流が流れるように整流するダイオードである。
Ｃ２は、ダイオードＤ２の他端とダイオードＤ３の一端とを接続する接続線に一端が接続されるとともに、Ｖ相のリアクトルＬ２に他端が接続された補助コンデンサである。
Ｃ６は、一端がＶ相のリアクトルＬ２に接続され、他端がＷ相のリアクトルＬ３に接続された補助コンデンサである。
【００１１】
最後に、主にＷ相に関連する回路を説明する。
Ｄ７は一端がリアクトルＬ３に接続され、他端が負荷Ｒ１に接続され、リアクトルＬ３から負荷Ｒ１へ電流が流れるように整流するダイオードである。
Ｄ８は一端がリアクトルＬ３に接続され、他端から入力された電流がリアクトルＬ３へ流れるように整流するダイオードである。
Ｄ９は、一端がこのダイオードＤ８の他端に接続され、他端が負荷Ｒ１に接続され、負荷Ｒ１からダイオードＤ８へ電流が流れるように整流するダイオードである。
Ｃ３は、ダイオードＤ５の他端とダイオードＤ６の一端とを接続する接続線に一端が接続されるとともに、Ｗ相のリアクトルＬ３に他端が接続された補助コンデンサである。
Ｃ７は、一端がＵ相のリアクトルＬ１に接続され、他端がＷ相のリアクトルＬ３に接続された補助コンデンサである。
【００１２】
Ｃ１は、負荷Ｒ１と並列に接続されると共に、一端がダイオードＤ１、Ｄ４、及びＤ７に接続され、他端がダイオードＤ３、Ｄ６、及びＤ９に接続された平滑コンデンサである。
【００１３】
ここで、ダイオードＤ１〜９は、それぞれ第１〜９の整流素子である。整流素子は、電流を一方向に整流するものであればよく、例えば、サイリスタを整流素子として用いることができる。ここでダイオードに順方向電流が流れるとき、電流が流れ込む端子を入力端子といい、ダイオードから電流が流れ出る端子を出力端子という。
また、サイリスタを用いた場合には、整流電圧を検出してサイリスタのゲートに点弧パルスを出力し、交流の導通率を変化させることにより整流電圧が一定になるように調整することができる。
また、補助コンデンサＣ５〜Ｃ７は、それぞれ第１〜３の補助コンデンサであり、補助コンデンサＣ２〜Ｃ４は、それぞれ第４〜第６の補助コンデンサである。
【００１４】
図２は、図１に示した整流回路の電圧波形及び電流波形を示す波形図である。図２において、１０１は電源ＲＮ１の出力電圧（以下、相電圧１０１という）、１０２はリアクトルＬ１に流れる電流、１０３は平滑コンデンサＣ１の両端の電圧、１０４は補助コンデンサＣ５両端の電圧、すなわちＵ相−Ｖ相の線間電圧である。１０５は補助コンデンサＣ７両端の電圧、１０６は補助コンデンサＣ４両端の電圧、１０７はダイオードＤ１両端にかかる電圧、１０８はダイオードＤ２にかかる電圧である。ここで、電源ＲＮ１の出力電圧１０１以外の電圧は、３分の１の大きさで表示している。
【００１５】
図３は、図１に示した整流回路の電流波形を示す波形図である。図３において、図２と同一の符号は同一又は相当の部分を表す。１０９は補助コンデンサＣ７の電流、１１０は補助コンデンサＣ５の電流、１１１は補助コンデンサＣ５と補助コンデンサＣ７の合計の電流である。なお、波形を見やすくするため、電流１０９は１５０だけ上方にずらし、電流１１０は１５０だけ下方ににずらして表示している。
また、図４は、図１に示した整流回路の電流波形を示す波形図である。図４において、図２又は図３と同一の符号は同一又は相当の部分を表す。１１２はコンデンサＣ４を流れる電流、１１３はダイオードＤ１の導通電流、１１４はダイオードＤ２の導通電流である。ここで、波形を見やすくするため、電流１１４は２００だけ上方にずらし、電流１１３は２００だけ下方にずらして表示している。
【００１６】
次に、図１〜図４を用いて動作を説明する。
まず、Ｕ相の相電圧１０１に着目し、その動作について説明する。
基本的な動作は、相電圧１０１が正の電圧であるとき、ダイオードＤ２は電源ＲＮ１からの電流がダイオードＤ３の方向へ流れるのを防止する。一方、ダイオードＤ１の電源ＲＮ１側にかかる電圧が平滑コンデンサＣ１の電圧を越えると、ダイオードＤ１が導通し、電流が流れる。この電流は負荷Ｒ１へ流れるとともに、平滑コンデンサＣ１を充電する。この動作により正の直流電流が作られる。
【００１７】
次に、相電圧１０１が負の電圧であるとき、ダイオードＤ１は平滑コンデンサＣ１からダイオードＤ１方向へ電流が流れることを阻止する。電源ＲＮ１へは、Ｄ３→Ｄ２を通って、若しくは、Ｄ９→Ｃ４を通って電流が流れる。この動作により、電流の逆流を防ぎ、正の直流電流が保たれる。
他のＶ相、Ｗ相においても、Ｕ相の素子に相当する部分が同様に働く。
以上の動作により、Ｄ１、Ｄ４、若しくは、Ｄ７から負荷Ｒ１をまわってＤ３、Ｄ６、若しくはＤ９を通過する直流を作る。
【００１８】
以上は、基本的な動作であるが、この実施の形態１では、入力電流１０２の高調波の発生を防止するために、特殊な動作を行う。まず、従来、問題となっていた相電圧１０１の立ち上がり時に電流が流れないという問題は、補助コンデンサＣ２〜Ｃ７の働きにより解決される。
【００１９】
まず、相電圧１０１の立ち上がり時、すなわち図２の０〜４ｍｓｅｃ付近までは、平滑コンデンサＣ１の電圧が相電圧１０１、正確にはＵ２の電圧を上回るため、ダイオードＤ１は逆電圧となり非導通状態となる。このようすは、図４の１１３の波形を見ると分かる。一方、相電圧１０１による電流は補助コンデンサＣ４へ、図４の１１２に示すように流れる。このため、電流が遮断されることにより波形が歪むことを防止できる。このとき、コンデンサＣ４は充電される。また、補助コンデンサＣ５、Ｃ７にも図３の１０９、１１０に示すように電流が流れ、ＳＮ１、ＴＮ１方向へ電流を逃がす。
【００２０】
次に、相電圧１０１が立ち上がり、Ｕ２に示す電圧が平滑コンデンサＣ１の電圧を越えると、ダイオードＤ１が導通し、図４の１１３の４〜８ｍｓｅｃ付近のように電流が流れる。従って、負荷Ｒ１に電流が供給される。また、この間も図３の１０９、１１０に示すようにコンデンサＣ５、Ｃ７に電流が流れ、高調波が発生することを防止する。
【００２１】
続いて、相電圧が負のサイクルに入る。負のサイクルでは、図３の１１１の８〜１７ｍｓｅｃに示されるように、補助コンデンサＣ５、Ｃ７に負の電流が流れる。特に、８〜１０ｍｓｅｃ付近においては、ダイオードＤ２及びコンデンサＣ４からの電流ではなく、補助コンデンサＣ５、Ｃ７から余裕を持って電流を供給することにより、１０２に示すようなきれいな正弦波を形成し、高調波の発生を防止する。
また、コンデンサＣ４からは、図４の１１２、１０〜１４ｍｓｅｃに示すように電流が流れ、リアクトルＬ１を通り電源ＲＮ１へ流れ込む。
さらに、１３〜１７ｍｓｅｃ付近においては、図４の１１４に示されるようにダイオードＤ２も導通し、電源ＲＮ１へ電流を流す。
【００２２】
このように、相電圧１０１の正のサイクル及び負のサイクルでは、複数の経路から電流を流し、余裕を持って電流を供給できるため、図２の１０２に示すようにきれいな正弦波となり、高調波の発生を抑制できる。特に、１つの経路の電流が流れにくい場合でも、他の経路から電流を供給できる構造を持つため、きれいに電流が流れる。
【００２３】
図５は、本願の出願人による非公知の三相交流用整流回路である。図５において、図１と同一の符号は同一又は相当の部分を表す。
Ｄ１０はエミッタがダイオードＤ１のコレクタに接続され、コレクタがリアクトルＬ１に接続されたダイオード、Ｄ１１はエミッタがダイオードＤ４のコレクタに接続され、コレクタがリアクトルＬ２に接続されたダイオード、Ｄ１２はエミッタがダイオードＤ７のコレクタに接続され、コレクタがリアクトルＬ３に接続されたダイオードである。
【００２４】
Ｃ８は、一端がＶ相のリアクトルＬ２に接続され、他端がダイオードＤ２のコレクタとダイオードＤ３のエミッタとを接続する接続線に接続された補助コンデンサ、Ｃ９は、一端がＷ相のリアクトルＬ３に接続され、他端がダイオードＤ５のコレクタとダイオードＤ６のエミッタとを接続する接続線に接続された補助コンデンサ、Ｃ１０は、一端がＵ相のリアクトルＬ１に接続され、他端がダイオードＤ８のコレクタとダイオードＤ９のエミッタとを接続する接続線に接続された補助コンデンサである。
【００２５】
Ｃ１１は、一端がダイオードＤ１のコレクタとダイオードＤ１０のエミッタとを接続する接続線に接続されるとともに、他端がＶ相のリアクトルＬ２に接続され、Ｖ相の電圧の立ち上がり時にダイオードＤ４を導通させるに十分な電圧を発生する補助コンデンサ、Ｃ１２は、一端がダイオードＤ４のコレクタとダイオードＤ１１のエミッタとを接続する接続線に接続されるとともに、他端がＷ相のリアクトルＬ３に接続され、Ｗ相の電圧の立ち上がり時にダイオードＤ４を導通させるに十分な電圧を発生する補助コンデンサ、Ｃ１３は、一端がダイオードＤ７のコレクタとダイオードＤ１２のエミッタとを接続する接続線に接続されるとともに、他端がＵ相のリアクトルＬ１に接続され、Ｕ相の電圧の立ち上がり時にダイオードＤ７を導通させるに十分な電圧を発生する補助コンデンサである。
【００２６】
次に、動作について説明する。
電源ＲＮ１の正の出力電圧、すなわち正の相電圧１０１の立ち上がり時において、平滑コンデンサＣ１は高い電圧を維持している。そのため、相電圧１０１よりも平滑コンデンサＣ１の電圧が高くなる。しかし、補助コンデンサＣ１３は、この時点において充電されているため高い電圧を示しており、さらに、この補助コンデンサＣ１３と電源ＲＮ１とは直列に接続されているため、両者の電圧が加算されてダイオードＤ１３のコレクタ側の電位を上げる。この電位は平滑コンデンサＣ１よりも大きな電位となるため、ダイオードＤ７は導通状態となり、負荷Ｒ１に電流を供給し、平滑コンデンサＣ１を充電する。
このため、相電圧１０１の立ち上がり時にも、電流が遮断されることなく流れ、入力電流の高調波を抑制する。
【００２７】
一方、相電圧１０１の負のサイクルにおいては、補助コンデンサＣ１０の電流若しくはダイオードＤ２から電流が引き込まれ、入力電流が正弦波となる。そのため、入力電流の高調波が抑制される。
他のＶ相、Ｗ相においても、同様に動作する。
【００２８】
図５に示した整流回路では、相電圧１０１が平滑コンデンサＣ１の電圧よりも低い間中、補助コンデンサＣ１３は、ダイオードＤ７を導通させるに十分な電圧を保持しなければならない。そのため、大きなコンデンサ容量を必要とする。
一方、図１に示した整流回路では、相電圧１０１が平滑コンデンサＣ１の電圧よりも低い間中、ダイオードＤ７を導通させるに十分な電圧を保持する必要がないため、コンデンサ容量を小さくできるという特徴がある。これは、特に大容量の直流電源を確保する場合に、非常に有利である。
【００２９】
また、各コンデンサ、リアクトルを適切に選択することにより、力率を１にすることができ、より効率のよい整流回路を得ることができる。
【００３０】
【発明の効果】
この発明は、以上に説明したように構成されているので、以下に記載されるような効果を奏する。
【００３１】
負荷が接続される出力端子の両端に接続された平滑コンデンサ、第１の整流素子の入力端子に出力端子が接続された第２の整流素子と、この第２の整流素子の入力端子に出力端子が接続された第３の整流素子と、を有し、上記第１の整流素子の出力端子が上記平滑コンデンサの一端に接続され、上記第３の整流素子の入力端子が上記平滑コンデンサの他端に接続され、３相電源の第１の相の出力端子が上記第１の整流素子の入力端子に接続された第１の整流素子列、第４の整流素子の入力端子に出力端子が接続された第５の整流素子と、この第５の整流素子の入力端子に出力端子が接続された第６の整流素子と、を有し、上記第４の整流素子の出力端子が上記平滑コンデンサの一端に接続され、上記第６の整流素子の入力端子が上記平滑コンデンサの他端に接続され、３相電源の第２の相の出力端子が上記第４の整流素子の入力端子に接続された第２の整流素子列、第７の整流素子の入力端子に出力端子が接続された第８の整流素子と、この第８の整流素子の入力端子に出力端子が接続された第９の整流素子と、を有し、上記第７の整流素子の出力端子が上記平滑コンデンサの一端に接続され、上記第９の整流素子の入力端子が上記平滑コンデンサの他端に接続され、３相電源の第３の相の出力端子が上記第７の整流素子の入力端子に接続された第３の整流素子列、上記第１の整流素子の入力端子と上記第４の整流素子の入力端子との間に接続された第１の補助コンデンサ、上記第４の整流素子の入力端子と上記第７の整流素子の入力端子との間に接続された第２の補助コンデンサ、上記第１の整流素子の入力端子と上記第７の整流素子の入力端子との間に接続された第３の補助コンデンサ、上記第２の整流素子の入力端子と上記第４の整流素子の入力端子との間に接続された第４の補助コンデンサ、上記第５の整流素子の入力端子と上記第７の整流素子の入力端子との間に接続された第５の補助コンデンサ、上記第８の整流素子の入力端子と上記第１の整流素子の入力端子との間に接続された第６の補助コンデンサ、を備えるとともに、
３相電源の第１の相の出力端子と第１の整流素子の入力端子との間に接続された第１のリアクトルと、３相電源の第２の相の出力端子と第４の整流素子の入力端子との間に接続された第２のリアクトルと、３相電源の第３の相の出力端子と第７の整流素子の入力端子との間に接続された第３のリアクトルと、を備えたため、３相電源の入力電流の高調波を少なくすることができる。
【００３３】
また、第４の補助コンデンサは、第４の整流素子に逆電圧がかかっている場合に、第２の相の入力電流を第１の整流素子の入力端子と第２の整流素子とを接続する接続線の方向へ流し、第５の補助コンデンサは、第７の整流素子に逆電圧がかかっている場合に、第３の相の入力電流を上記第４の整流素子と第５の整流素子とを接続する接続線の方向へ流し、第６の補助コンデンサは、上記第１の整流素子に逆電圧がかかっている場合に、第１の相の入力電流を上記第７の整流素子と第８の整流素子とを接続する接続線の方向へ流すため、３相電源の入力電流の高調波を少なくすることができる。
【図面の簡単な説明】
【図１】この発明の実施の形態１における整流回路の回路図である。
【図２】この発明の実施の形態１における整流回路の波形図である。
【図３】この発明の実施の形態１における整流回路の補助コンデンサ電流波形を説明する波形図である。
【図４】この発明の実施の形態１における整流回路のダイオードの導通電流を説明する波形図である。
【図５】この発明の実施の形態１と対比される他の整流回路の回路図である。
【図６】従来の技術における整流回路の回路図である。
【図７】従来の技術における整流回路の波形図である。
【符号の説明】
Ｃ１  平滑コンデンサ、  Ｃ２〜Ｃ７  補助コンデンサ、  Ｄ１〜９  ダイオード、  Ｌ１〜３  リアクトル、  ＲＮ１、ＳＮ１、ＴＮ１  電源
【図１】
0003622358.tif 000002
【図２】
0003622358.tif 000003
【図３】
0003622358.tif 000004
【図４】
0003622358.tif 000005
【図５】
0003622358.tif 000006
【図６】
0003622358.tif 000007
【図７】
0003622358.tif 000008